(57)【要約】【課題】            金属部品、電子電気部品等に付着した油類等の汚れを効率的に除去できる洗浄剤であって、被洗浄物品から洗浄で剥離されて出た油類が乳化されにくく油滴分離性に優れ、被洗浄物の再汚染や洗浄剤自体の寿命が長い洗浄剤を提供すること。【解決手段】        フッ素化アルキル基含有エチレン性不飽和単量体とシリコーン鎖含有エチレン性不飽和単量体とを必須成分として共重合した重合体からなるフッ素化合物（Ｉ）と、水と、ジオキサン又はイソプロピルアルコールとを含むことを特徴とする洗浄剤。【選択図】          なし【特許請求の範囲】
【請求項１】
フッ素化アルキル基含有エチレン性不飽和単量体とシリコーン鎖含有エチレン性不飽和単量体とを必須成分として共重合した重合体からなるフッ素化合物（Ｉ）と、水と、ジオキサン又はイソプロピルアルコールとを含むことを特徴とする洗浄剤。
【請求項２】
フッ素化アルキル基含有エチレン性不飽和単量体がフッ素化アルキル基含有（メタ）アクリレートである請求項１記載の洗浄剤。
【請求項３】
シリコーン鎖含有エチレン性不飽和単量体が下記一般式（ｃ−１）及び／または下記一般式（ｃ−２）で示される化合物である請求項１記載の洗浄剤。
【化１】
2005179687.tif 000021
（式中、Ｒ３及びＲ４は炭素数１〜２０のアルキル基又はフェニル基で、それら同一でも異なっていてもよく、又シロキシ単位毎に同一でも異なっていてもよく、ｐは３〜５２０であり、ｑは０又は１であり、Ｘ２は２価の連結基で、−ＣＨ２ＣＨ(ＯＨ)ＣＨ２ＯＣＯ−、−(ＣＨ２)ｎ１ＮＨＣＨ２ＣＨ(ＯＨ)ＣＨ２ＯＣＯ−、−(ＣＨ２)ｎ１ＯＣＯ−、−(ＣＨ２)ｎ１−Ｏ−(ＣＨ２)ｍ１ＯＣＯ−、又は−ＯＣＨ２ＣＨ(ＯＨ)ＣＨ２ＯＣＯ−［但し、ｎ１、ｍ１は２〜６の整数である。］であり、Ｒ１はＨ、ＣＨ３、ＣｌまたはＦであり、Ｚ１はメチル基、フェニル基、またはＣＨ２＝Ｃ(Ｒ１)−(Ｘ２)ｑ−である。）
【化２】
2005179687.tif 000022
（式中、Ｒ５、Ｒ５'、Ｒ５''、Ｒ６、Ｒ６'、Ｒ６''、Ｒ７、Ｒ７'、Ｒ７''は炭素数１〜２０のアルキル基又はフェニル基で、これらは同一でも異なっていても良く、ｒ、ｓ、ｔは０または１〜２００の整数で、これらは同一でも異なっていても良く、Ｘ２、ｑ、Ｒ１は前記と同意義である。）
【請求項４】
シリコ−ン鎖含有エチレン性不飽和単量体が一般式（ｃ−２）で示される化合物である請求項３記載の洗浄剤。
【請求項５】
一般式（ｃ−２）中のｒ、ｓ、ｔが０である請求項４記載の洗浄剤。
【発明の詳細な説明】
【技術分野】
【０００１】
本発明は、各種部品等に付着した油類等の汚れを除去するために用いる洗浄剤に関し、より詳しくは金属部品、電子電気部品等に付着した油類等の汚れを効率的に除去できる洗浄剤に関する。
【背景技術】
【０００２】
従来、精密機械部品、電気電子部品、樹脂加工品、光学部品等の洗浄においては、物品に対し腐食や劣化等の悪影響を及ぼし難く、不燃性で且つ脱脂洗浄性に優れることから、トリクロロエタン、テトラクロロエチレン等の塩素系溶剤や、トリクロロトリフルオロエタン等のフロン系溶剤が好まれて使用されてきた。
【０００３】
しかしながら、これらの塩素系溶剤やフロン系溶剤は、オゾン層破壊の環境問題をはらんでいるため、その使用が厳しく規制されるようになった。この代替として最近、水系洗浄剤や、ケロシン、ベンゼン、キシレン等の炭化水素系溶剤、あるいはＮ−メチル−２−ピロリドン、γ−ブチロラクトン、Ｎ，Ｎ−ジメチルアセトアミド等の極性溶剤等からなる洗浄剤が提案されるようになってきた（例えば、特許文献１参照。）。
【０００４】
しかしながら、上記の水系洗浄剤、炭化水素系溶剤等の有機溶剤からなる洗浄剤、又極性有機溶剤からなる洗浄剤は、塩素系溶剤やフロン系溶剤からなる洗浄剤に比べ、脱脂洗浄性や乾燥性に劣るために洗浄工程の複雑化や効率の低下を招くという問題があった。またこれら従来の洗浄剤では、被洗浄物品から洗浄で剥離されて出た油類が乳化され易くて油滴分離性が悪く、被洗浄物の再汚染や洗浄剤自体の寿命が短いという問題があった。
【０００５】
【特許文献１】特開平６−０６５７６９号公報
【発明の開示】
【発明が解決しようとする課題】
【０００６】
上記実状に鑑み、本発明の課題は、被洗浄物品から洗浄で剥離されて出た油類が乳化されにくく油滴分離性に優れ、被洗浄物の再汚染や洗浄剤自体の寿命が長い洗浄剤を提供することにある。
【課題を解決するための手段】
【０００７】
本発明者等は、上記問題を解決すべく鋭意検討した結果、フッ素化アルキル基含有エチレン性不飽和単量体とシリコーン鎖含有エチレン性不飽和単量体とを必須成分として共重合した重合体からなるフッ素化合物（Ｉ）と、水と、ジオキサン又はイソプロピルアルコールとを含む洗浄剤は、従来の、塩素系溶剤やフロン系溶剤からなる洗浄剤の代替品として登場した水系洗浄剤や有機溶剤系洗浄剤において問題となっていた油滴分離性の悪さ等を解消できることを見出し、本発明を完成するに至った。
【０００８】
即ち本発明は、フッ素化アルキル基含有エチレン性不飽和単量体とシリコーン鎖含有エチレン性不飽和単量体とを必須成分として共重合した重合体からなるフッ素化合物（Ｉ）と水と、ジオキサン又はイソプロピルアルコールとを含む洗浄剤を提供するものである。
【発明の効果】
【０００９】
本発明の洗浄剤は、油等で汚染された被洗浄物を効果的に洗浄することが可能であり、また油滴分離性に優れることから、同一洗浄剤を用いて繰り返し洗浄が可能になるという経済的効果がある。
【発明を実施するための最良の形態】
【００１０】
本発明で用いるフッ素化合物（Ｉ）は、フッ素化アルキル基含有エチレン性不飽和単量体とシリコーン鎖含有エチレン性不飽和単量体とを必須成分として共重合した重合体で有れば何等制限無く使用することができる。
【００１１】
前記フッ素化アルキル基含有エチレン性不飽和単量体としては種々のものがいずれも使用できるが、例えばフッ素化アルキル基を有する（メタ）アクリレート、ビニルエステル、ビニルエーテル、マレート、フマレート、α−オレフィン等を挙げることができる。尚、本発明において（メタ）アクリレートは、メタアクリレート、アクリレート、フルオロアクリレート、塩素化アクリレ−トを総称するものとする。原料の入手性、経済性、そして製造性の観点から、フッ素化アルキル基含有エチレン性不飽和単量体としては、フッ素化アルキル基含有（メタ）アクリレ−トが特に好ましい。
【００１２】
前記フッ素化アルキル基含有（メタ）アクリレ−トとしては、下記一般式（ａ）にて表される化合物が挙げられる。
【００１３】
【化１】
2005179687.tif 000002
［式中、Ｒｆは炭素数１〜２０のパーフロオロアルキル基、または部分フッ素化アルキル基であり、直鎖状、分岐状、または主鎖中に酸素原子が介入したもの、例えば−（ＯＣＦ２ＣＦ２）２ＣＦ（ＣＦ３）２等でも良く、Ｒ１はＨ，ＣＨ３，Ｃｌ，またはＦであり、Ｘは２価の連結基で、具体的には−（ＣＨ２）ｎ−，
【００１４】
【化２】
2005179687.tif 000003
（但し、ｎは１〜１０の整数であり、Ｒ２はＨまたは炭素数１〜６のアルキル基である。）、
【００１５】
【化３】
2005179687.tif 000004
等であり、ａは０または１である。］
にて表わされる化合物や、一般式（ｂ）
【００１６】
【化４】
2005179687.tif 000005
（式中、ｌは１〜１４の整数である。）
の如き分子中にパーフルオロアルキル基を複数個有する化合物である。フッ素化アルキル基含有（メタ）アクリレ−トの具体例としては、以下の如きものが挙げられる。
【００１７】
【化５】
2005179687.tif 000006
【００１８】
【化６】
2005179687.tif 000007
【００１９】
【化７】
2005179687.tif 000008
【００２０】
【化８】
2005179687.tif 000009
【００２１】
尚、本発明が上記具体例によって、何等限定されるものでないことは勿論である。また前記フッ素化アルキル基含有フマレート並びにマレート化合物としては、例えばＵＳＰ第４，７８６，６５８号に記載の化合物等、種々のものを使用することができる。
【００２２】
フッ素化アルキル基含有エチレン性不飽和単量体は、構造が異なる２種類以上の化合物の混合物であっても良い。本発明において、フッ素化アルキル基含有エチレン性不飽和単量体は、得られる洗浄剤の洗浄性、油滴分離性、水切り性等の性能を発揮する上で必須の単量体成分であり、これが欠落すると上記性能は劣悪なものとなる。
【００２３】
本発明の洗浄剤の洗浄性、油滴分離性、水切り性等の性能の観点から、フッ素化アルキル基含有エチレン性不飽和単量体のパーフロアルキル基または部分フッ素化アルキル基の炭素数としては、３以上が好ましく、６以上が更に好ましい。
【００２４】
本発明で用いるシリコーン鎖含有エチレン性不飽和単量体とは、ポリシロキサン鎖の片末端あるいは両末端に２価の連結基を介してα，β−不飽和基、即ちビニル基、アクリロイル基、あるいはメタクリロイル基のいずれかが連結されたものであり、その具体例としては、下記一般式（ｃ−１）
【００２５】
【化９】
2005179687.tif 000010
［式中、Ｒ３及びＲ４は炭素数１〜２０のアルキル基又はフェニル基で、それらは同一でも異なっていてもよく、又シロキシ単位毎に同一でも異なっていてもよく、ｐは３〜５２０であり、ｑは０又は１であり、Ｘ２は２価の連結基で、−ＣＨ２ＣＨ(ＯＨ)ＣＨ２ＯＣＯ−、−(ＣＨ２)ｎ１ＮＨＣＨ２ＣＨ(ＯＨ)ＣＨ２ＯＣＯ−、−(ＣＨ２)ｎ１ＯＣＯ−、−(ＣＨ２)ｎ１−Ｏ−(ＣＨ２)ｍ１ＯＣＯ−、又は−ＯＣＨ２ＣＨ(ＯＨ)ＣＨ２ＯＣＯ−（但し、ｎ１、ｍ１は２〜６の整数である。）であり、Ｒ１はＨ、ＣＨ３、ＣｌまたはＦであり、Ｚ１はメチル基、フェニル基、またはＣＨ２＝Ｃ(Ｒ１)−(Ｘ２)ｑ−である。］
で表される化合物、又は、下記一般式（ｃ−２）
【００２６】
【化１０】
2005179687.tif 000011
（式中、Ｒ５、Ｒ５'、Ｒ５''、Ｒ６、Ｒ６'、Ｒ６''、Ｒ７、Ｒ７'、Ｒ７''は炭素数１〜２０のアルキル基又はフェニル基で、これらは同一でも異なっていても良く、ｒ、ｓ、ｔは０または１〜２００の整数で、これらは同一でも異なっていても良く、Ｘ２、ｑ、Ｒ１は前記と同意義である。）
で表わされる化合物が挙げられる。
【００２７】
シリコーン鎖含有エチレン性不飽和単量体のより具体的なものとして以下の如きものが例示される。
【００２８】
【化１１】
2005179687.tif 000012
【００２９】
【化１２】
2005179687.tif 000013
【００３０】
【化１３】
2005179687.tif 000014
【００３１】
【化１４】
2005179687.tif 000015
【００３２】
【化１５】
2005179687.tif 000016
【００３３】
【化１６】
2005179687.tif 000017
【００３４】
【化１７】
2005179687.tif 000018
（式中、Ｍｅ、Ｐｈはそれぞれメチル基、フェニル基を表わす。）
【００３５】
前記シリコーン鎖含有エチレン性不飽和単量体のエチレン性不飽和基としては、ビニル基、アクリロイル基、メタクリロイル基のいずれも可能であるが、重合反応性の点でアクリロイル基又はメタクリロイル基が優れているため、これらを含有するものが特に好ましい。
【００３６】
前記シリコーン鎖含有エチレン性不飽和単量体としては、構造が異なる２種類以上の化合物の混合物であっても良い。本発明において、シリコーン鎖含有エチレン性不飽和単量体は、得られる洗浄剤の洗浄性、油滴分離性、水切り性等の性能を発揮する上で必須の単量体成分であり、これが欠落すると上記性能は劣悪なものとなる。
【００３７】
本発明の洗浄剤の洗浄性、油滴分離性、水切り性等の性能の観点から、シリコーン鎖含有エチレン性不飽和単量体のシリコーン鎖部分の分子量としては５，０００以下が好ましく、１，０００以下のものが特に好ましく、更にシリコーン鎖部分の構造としては、上記一般式（ｃ−２）に示す様な分岐型のものが好ましく、その中でも上記一般式（ｃ−２）中でｒ，ｓ，ｔが０のものが特に好ましい。
【００３８】
本発明で用いるフッ素化合物（Ｉ）において、一分子中にフッ素化アルキル基とシリコーン鎖とを同時に含有することが極めて重要であり、これら両者が同時にフッ素化合物（Ｉ）に含まれることにより、従来なし得なかった優れた洗浄性、油滴分離性、水切り性等の性能が発揮されるものである。
【００３９】
従って、本発明で用いるフッ素化合物（Ｉ）において、フッ素化アルキル基含有エチレン性不飽和単量体もしくはシリコーン鎖含有エチレン性不飽和単量体のどちらか一方が欠落すると、本発明でいう優れた洗浄性、油滴分離性、水切り性等の性能は発現しない。
【００４０】
本発明で用いるフッ素化合物（Ｉ）は、洗浄剤の構成成分として使用する場合の水及び／又は有機溶剤との相溶性、並びに洗浄剤としての性能の調節を目的として、その構成単量体として上記単量体に加え非フッ素且つ非シリコーン系エチレン性不飽和単量体を使用することが可能である。
【００４１】
非フッ素且つ非シリコーン系エチレン性不飽和単量体の具体例として以下の如きものが挙げられる。例えば、スチレン、核置換スチレン、アクリロニトリル、塩化ビニル、塩化ビニリデン、ビニルピリジン、Ｎ−ビニルピロリドン、ビニルスルホン酸、酢酸ビニル等の脂肪酸ビニル、またα，β−エチレン性不飽和カルボン酸、即ちアクリル酸、メタクリル酸、マレイン酸、フマール酸、イタコン酸等の一価ないし二価のカルボン酸、またα，β−エチレン性不飽和カルボン酸の誘導体として、アルキル基の炭素数が１〜１８の（メタ）アクリル酸アルキルエステル（以後この表現はアクリル酸アルキルエステルとメタクリル酸アルキルエステルの両方を総称するものとする。）、即ち（メタ）アクリル酸のメチル、エチル、プロピル、ブチル、オクチル、２−エチルヘキシル、デシル、ドデシル、ステアリルエステル等、また（メタ）アクリル酸の炭素数１〜１８のヒドロキシアルキルエステル、即ち２−ヒドロキシエチルエステル、ヒドロキシプロピルエステル、ヒドロキシブチルエステル等が挙げられる。
【００４２】
また（メタ）アクリル酸の炭素数１〜１８のアミノアルキルエステル即ちジメチルアミノエチルエステル、ジエチルアミノエチルエステル、ジエチルアミノプロピルエステル等、また（メタ）アクリル酸の、炭素数が３〜１８のエーテル酸素含有アルキルエステル、例えばメトキシエチルエステル、エトキシエチルエステル、メトキシプロピルエステル、メチルカルビルエステル、エチルカルビルエステル、ブチルカルビルエステル等、更に橋状結合含有モノマーとしては、例えばジシクロペンタニルオキシルエチル（メタ）アクリレート、イソボルニルオキシルエチル（メタ）アクリレート、イソボルニル（メタ）アクリレート、アダマンチル（メタ）アクリレート、ジメチルアダマンチル（メタ）アクリレート、ジシクロペンタニル（メタ）アクリレート、ジシクロペンテニル（メタ）アクリレート等、更に重合度１〜１００の、ポリエチレングリコール、ポリプロピレングリコール等のポリアルキレングリコールのモノ（メタ）アクリル酸エステル又はジ（メタ）アクリル酸エステル、若しくは末端が炭素数１〜６のアルキル基によってキャップされた重合度１〜１００の、ポリエチレングリコール、ポリプロピレングリコール等のポリアルキレングリコールのモノ（メタ）アクリル酸エステル、またアルキル炭素数が１〜１８のアルキルビニルエーテル、例えばメチルビニルエーテル、プロピルビニルエーテル、ドデシルビニルエーテル等、（メタ）アクリル酸のグリシジルエステル、即ちグリシジルメタクリレート、グリシジルアクリレート等、またサートマー社製スチレンマクロモノマー４５００、新中村化学工業株式会社製ＮＫエステルＭ−２３０Ｇ等のマクロモノマー等が挙げられる。
【００４３】
更にγ−メタクリロキシプロピルメトキシシラン、γ−メタクリロキシプロピルメチルジメトキシシラン、γ−メタクリロキシプロピルトリメトキシシラン、γ−アクリロキシプロピルメチルトリメトキシシラン、γ−アクリロキシプロピルメチルジメトキシシラン、ビニルトリメトキシシラン等の単量体、そして分子中に極性基、とりわけアニオン性基や水酸基を含有するモノマ−として、アクリル酸、メタクリル酸、２−（メタ）アクリロイルオキシエチルコハク酸、２−アクリルアミド−２−メチルプロパンスルホン酸、部分スルホン化スチレン、モノ（アクリロイルオキシエチル）アシッドホスフェート、モノ（メタクリロキシエチル）アシッドホスフェート、２−ヒドロキシエチル（メタ）アクリレート、２−ヒドロキシプロピル（メタ）アクリレート等が挙げられる。
【００４４】
本発明が上記具体例によって何等限定されるものでないことは勿論である。尚、本発明者等の知見によれば、本発明で言う洗浄性、油滴分離性、水切り性等の性能を向上させるという観点から、非フッ素且つ非シリコーン系エチレン性不飽和単量体としては、ポリエチレングリコール、ポリプロピレングリコール等のポリアルキレングリコールのモノ（メタ）アクリル酸エステル又はジ（メタ）アクリル酸エステル、若しくは末端が炭素数１〜６のアルキル基によってキャップされた重合度１〜１００の、ポリエチレングリコール、ポリプロピレングリコール等のポリアルキレングリコールのモノ（メタ）アクリル酸エステル、及び／又は炭素数４以上のアルキル基を含む（メタ）アクリル酸エステルを用いることが好ましい。
【００４５】
前記フッ素化アルキル基含有エチレン性不飽和単量体、及び前記シリコーン鎖含有エチレン性不飽和単量体と、更に必要に応じて使用する前記非フッ素且つ非シリコーン系エチレン性不飽和単量体とを重合して成るフッ素化合物（Ｉ）の製造方法としては、何ら制限はなく、種々の方法、即ちラジカル重合法、カチオン重合法、アニオン重合法等の重合機構に基づき、溶液重合法、塊状重合法、更にエマルジョン重合法等によって製造できるが、特にラジカル重合法が簡便であり、工業的に好ましい。
【００４６】
この場合重合開始剤としては、種々のものを使用することができる。例えば過酸化ベンゾイル、過酸化ジアシル等の過酸化物、アゾビスイソブチロニトリル、フェニルアゾトリフェニルメタン等のアゾ化合物、Ｍｎ（ａｃａｃ）３等の金属キレート化合物等が挙げられる。
【００４７】
その他必要に応じてラウリルメルカプタン、２−メルカプトエタノール、エチルチオグリコール酸、オクチルチオグリコール酸等の連鎖移動剤や、更にγ−メルカプトプロピルトリメトキシシラン等のチオール化合物等を併用することが可能である。
【００４８】
また光増感剤や光開始剤の存在下での光重合あるいは放射線や熱をエネルギー源とする重合によってもフッ素系のランダムもしくはブロック共重合体を得ることができる。
【００４９】
重合は、溶剤の存在下又は非存在下のいずれでも実施できるが、作業性の点から溶剤存在下の場合の方が好ましい。前記溶剤としては、例えば、アセトン、メチルエチルケトン、メチルイソブチルケトン等のケトン類、酢酸メチル、酢酸エチル、酢酸ブチル等のエステル類、ジメチルホルムアミド、ジメチルスルホキシド等の極性溶剤、１，１，１−トリクロルエタン、クロロホルム等のハロゲン系溶剤、テトラヒドロフラン、ジオキサン等のエーテル類、ベンゼン、トルエン、キシレン等の芳香族類、更にパーフルオロオクタン、パーフルオロトリ−ｎ−ブチルアミン等のフッ素化イナートリキッド類のいずれも使用できる。
【００５０】
本発明で用いるフッ素化合物（Ｉ）において、フッ素化アルキル基含有エチレン性不飽和単量体とシリコーン鎖含有エチレン性不飽和単量体との共重合比率としては、重量比で、１００：１〜１：１００であり、得られる洗浄剤の洗浄性、油滴分離性、水切り性等の効果を有効に発揮するためには、４０：１〜１：４０が好ましい。
【００５１】
又本発明で用いるフッ素化合物（Ｉ）において、共重合モノマーとして非フッ素且つ非シリコーン系エチレン性不飽和単量体を導入する場合は、フッ素化アルキル基含有エチレン性不飽和単量体とシリコーン鎖含有エチレン性不飽和単量体との合計に対する非フッ素且つ非シリコーン系エチレン性不飽和単量体の重量比率としては１００：０〜１：１００であり、１００：０〜１：１０が特に好ましい。
【００５２】
本発明で用いるフッ素化合物（Ｉ）の分子量としては、通常数平均分子量として１，０００〜２，０００，０００であり、得られる洗浄剤の洗浄性、油滴分離性、水切り性等の観点から数平均分子量として１，０００〜５００，０００であることが好ましい。
【００５３】
本発明の洗浄剤で用いる有機溶剤は、ジオキサン又はイソプロピルアルコールであり、水と混合して用いる。
【００５４】
引火性等を回避するため、有機溶剤に対する水の割合としては、重量比で１：１００〜９５：５が好ましく、１：１００〜９０：１０がより好ましい。
【００５５】
本発明の洗浄剤において、フッ素化合物（Ｉ）の上記有機溶剤に対する添加量としては用途によって自由に変更可能であるが、通常０．００１〜１０重量％であり、０．００１〜５重量％が好ましい。
【００５６】
本発明の好適な実施の態様について説明する。まず、フッ素化アルキル基含有エチレン性不飽和単量体４０〜１重量部に対してシリコーン鎖含有エチレン性不飽和単量体を１〜４０重量部、さらにフッ素化アルキル基含有エチレン性不飽和単量体とシリコーン鎖含有エチレン性不飽和単量体との合計１００〜１重量部に対して非フッ素且つ非シリコーン系エチレン性不飽和単量体を０〜１０重量部、これらにさらに前記単量体の合計量が０．００１〜５重量％になるように溶剤を配合し、重合開始剤、連鎖移動剤等の存在下にラジカル重合させることにより製造することができる。
【００５７】
上記単量体の中、フッ素化アルキル基含有エチレン性不飽和単量体としては、炭素数６以上のパーフルオロアルキル基含有（メタ）アクリレートを用い、シリコーン鎖含有エチレン性不飽和単量体としては、分子量５０００以下のシリコーン鎖の片末端または両末端に２価の連結基を介してビニル基、アクリロイル基、メタクリロイル基等のα，β−不飽和基が連結された化合物を用い、非フッ素且つ非シリコーン系エチレン性不飽和単量体としては、側鎖にポリエチレングリコール等のポリアルキレングリコールのモノ（メタ）アクリル酸エステル及び／または炭素数４以上のアルキル基を側鎖に含む（メタ）アクリル酸エステルを用いる。
【００５８】
本発明の洗浄剤は、電子部品、電機部品、精密機械部品、樹脂加工部品、光学部品等の、機械部品、精密部品、自動車部品及びその組立加工工程に使用される治具類の洗浄に使用される。電子部品としては、プリント配線基板、ＩＣリードフレーム、コンデンサー、液晶表示器、半導体材料等が挙げられる。又電機部品としては、コータ用コア等の部品、マグネット、ブラシ、ハウジング等のハウジング等の電動機部品等が挙げられる。精密機械部品としてはベアリング、ミシン部品、加工用部品等が挙げられる。自動車用部品としては、エンジン部品、ミッションギア、キャブレター等が挙げられる。機械部品としては、軸受け、歯車、各種機械部品等が挙げられる。光学部品としては、レンズ等が挙げられる。又、上記部品の組立加工工程で使用される治具、工具類として、上記精密部品を製造、成形、加工、組立、仕上げ等の各種工程で取り扱われる治具、工具等が挙げられる。これらの被洗浄物に付着する油脂、機械油、切削油、グリース等の油分が洗浄される。
【００５９】
本発明の洗浄剤を利用した洗浄方法は、浸漬法、超音波洗浄法、揺動法、対流法、洗浄剤中でのガスバブル法、スプレー法等、種々のものを何等制限無く使用できる。
【実施例】
【００６０】
以下に具体的な合成例、実施例を挙げて本発明をより詳細に説明するが、本具体例にて本発明が何等制限されるものでないことは勿論である。
【００６１】
合成例１
撹拌装置、コンデンサー、温度計を備えたガラスフラスコにフッ素化アルキル基含有エチレン性不飽和単量体ａ−１  １８重量部、シリコーン鎖含有エチレン性不飽和単量体ｃ−２−１（ｒ＝ｓ＝ｔ＝０）  ２１重量部、分子量４００のポリエチレンオキシドを側鎖にもつモノメタクリレート化合物  ２４重量部、エチレンオキシド４量体のジメタクリレート化合物  ４重量部、２−エチルヘキシルアクリレート  ２６重量部、メチルメタクリレート  ７重量部、そしてイソプロピルアルコール（以下、ＩＰＡと略す）３５０重量部を仕込み、窒素ガス気流中、還流下で、重合開始剤としてアゾビスイソブチロニトリル（以下、ＡＩＢＮと略す）０．７重量部と、分子量調節剤としてラウリルメルカプタン  ５重量部を添加した後、７時間還流し重合を完成させた。
【００６２】
この重合体のゲルパーミエーションクロマトグラフィー（以後ＧＰＣと略す）によるポリスチレン換算分子量はＭｎ＝５，２００であった。この共重合体をフッ素化合物１とする。
【００６３】
合成例２〜３
各種フッ素化アルキル基含有エチレン性不飽和単量体（Ａ）とシリコーン鎖含有エチレン性不飽和単量体（Ｂ）、そして非フッ素且つ非シリコーン系エチレン性不飽和単量体（Ｃ）とを表−１に示す割合で用いた以外は合成例１と同様にしてフッ素化合物を得た。それらの重合体の分子量測定の結果を表−１に記した。
【００６４】
【表１】
2005179687.tif 000019
【００６５】
表中の数字は、反応時の原料仕込重量比を示す。表−２に示す種類のテストピース（２９．８ｍｍ×４９．８ｍｍ×３．０ｍｍ厚）１枚を切削油に浸漬した後、表−２に示す組成の洗浄剤（本フッ素化合物の添加量は溶剤全体に対して０．１重量％である）３００ｃｃ中に浸漬し、温度４０℃で洗浄剤を２００ｒｐｍで１時間撹拌した後取りだした。テストピース１ｇ当たりに残存付着している切削油の重量を測定し、洗浄度を調べた。
【００６６】
また上記洗浄後、浮上した油分を除去してから、切削油に浸漬したテストピースを用いて１回目と同様の洗浄を９９回繰り返し、全洗浄回数１００回後のテストピース１ｇ当たりに残存付着している切削油の重量も測定し、繰り返し使用性を確認した。
【００６７】
更に、油滴分離性については第１回目の洗浄終了後の状態を観察し評価した。
○  油滴分離性が良好
△  油滴にはなっていないが、分離している。
×  乳濁状態
【００６８】
【表２】
2005179687.tif 000020
表中、ＮＭＰ：Ｎ−メチル−２−ピロリドン、Ｘ：Ｃ８Ｆ１７ＳＯ２Ｎ（Ｐｒ）（ＥＯ）１０Ｈを表す。